(57)【特許請求の範囲】
【請求項１】
およそ４７０ＭＨｚないし７７０ＭＨｚのＵＨＦ帯で少なくとも動作する平面アンテナであって、
プリント基板の一面に導波素子、放射素子、反射素子が形成されており、前記導波素子は、前記プリント基板の上部に形成されており、前記放射素子は前記導波素子と所定の間隔を隔ててほぼ平行に形成されており、前記反射素子は前記放射素子と所定の間隔を隔ててほぼ平行に配置されていると共に、両側部が前記放射素子側に屈曲されて前記プリント基板の周縁に沿うよう形成され、
前記導波素子と前記放射素子との間の前記プリント基板の両側に所定長の長さの切欠が設けられていると共に、前記放射素子と前記反射素子との間の前記プリント基板の両側に所定長の長さの切欠が設けられており、
前記プリント基板が、樹脂ケースに密着されて収納されていることを特徴とする平面アンテナ。
【請求項２】
およそ４７０ＭＨｚないし７７０ＭＨｚのＵＨＦ帯で少なくとも動作する平面アンテナであって、
周囲に周壁部が立設されている一面が開口された樹脂ケースの内面に形成されている所定高さの複数の凸部の表面に、それぞれ導波素子、放射素子、反射素子が形成されており、前記導波素子は、前記樹脂ケースの内面の上部に形成され、前記放射素子は前記導波素子と所定の間隔を隔ててほぼ平行に形成され、前記反射素子は前記放射素子と所定の間隔を隔ててほぼ平行に配置されていると共に、両側部が前記放射素子側に屈曲されて前記樹脂ケースの周縁に沿うよう形成され、前記樹脂ケースの開口面に蓋部が嵌合されていることを特徴とする平面アンテナ。
【請求項３】
前記樹脂ケースの内面に形成されている所定高さの複数の前記凸部において、複数の前記凸部のそれぞれの所定高さを変えるようにしたことを特徴とする請求項２記載の平面アンテナ。
【発明の詳細な説明】
【技術分野】
【０００１】
本発明は、ＵＨＦ帯で動作可能な平面アンテナに関し、特にＵＨＦ帯の地上デジタル放送を受信するＵＨＦアンテナに適用して好適な平面アンテナに関する。
【背景技術】
【０００２】
地上デジタル放送は、従来のアナログ放送と異なり、一定レベル以上での到来電波を受信できさえすればデジタル信号であることから鮮明な映像を得られる。従って、地上デジタル放送を受信するアンテナは必ずしも高利得である必要はない。このため、従来のアンテナに比べ、小型で扱いやすい形状のアンテナが期待されている。従来のＵＨＦ帯で動作可能なＵＨＦテレビアンテナには、八木・宇田アンテナを動作原理とする放射素子と反射素子（反射板）とを配列したアンテナが知られている。
【０００３】
八木・宇田アンテナとされた従来のＵＨＦアンテナの一構成例を図２３に示す。図２３に示すＵＨＦアンテナ１００はまっすぐな棒状のブーム１０５の一端部に導波素子１０１が設けられており、導波素子１０１の後方に所定間隔離してダイポールとされた放射素子１０２がブーム１０５に設けられている。そして、ブーム１０５の他端には反射素子１０３が設けられている。導波素子１０１、放射素子１０２および反射素子１０３はほぼ平行に配置されている。また、放射素子１０２には放射素子１０２の中央部に設けられた給電部１０４から給電され、放射素子１０２の形状は広帯域化のため次第に幅が広がる三角形状に形成されている。このＵＨＦアンテナ１００の動作周波数帯域を４７０ＭＨｚないし７７０ＭＨｚとした際に反射素子１０３から導波素子１０１までの間隔は約１８５ｍｍ、反射素子１０３の長さは約３３０ｍｍ、アンテナ高は約１１０ｍｍとなり、このＵＨＦアンテナ１００の外形寸法は略１８５ｍｍ×略３３０ｍｍ×略１１０ｍｍとなる。従来のＵＨＦアンテナ１００の動作利得の周波数特性を図２４に示し、電圧定在波比（ＶＳＷＲ）の周波数特性を図２５に、半値幅の周波数特性を図２６に、前方後方比（ＦＢ比）の周波数特性を図２７に示す。
【発明の開示】
【発明が解決しようとする課題】
【０００４】
しかし、八木・宇田アンテナを原理とする従来のＵＨＦアンテナにおいては、アルミ等の導体棒を導波素子および反射素子として使用すると共に金属板を放射素子として使用することから、上述したように必然的に相応の大きさを持たせなければならなく小型化することが困難であると云う問題点があった。また、八木・宇田式アンテナは、突起部（素子の先端）が多いため、軒先や室内のような場所に設置するアンテナとしては、安全面では不向きになるという問題点があった。この場合、八木・宇田アンテナを樹脂ケースで覆った形のＵＨＦアンテナも知られているが、樹脂ケースがアンテナの特性に大きな影響を与えるため、アンテナと樹脂ケースの間隔を一定以上離さなければならず、安全面は達成されるものの外形寸法がさらに大型となり、軒先や室内で使用するには適さないと云う問題点があった。さらに、従来から室内アンテナが知られているが、室内アンテナは室内で使用するデザインとして設計されているため、得られる動作利得が不十分になるという問題点があった。
【０００５】
そこで、本発明は小型化することができ、かつＵＨＦ帯で動作する安全性の高い平面アンテナを提供することを目的としている。
【課題を解決するための手段】
【０００６】
上記目的を達成するために、本発明の平面アンテナは、およそ４７０ＭＨｚないし７７０ＭＨｚのＵＨＦ帯で少なくとも動作する平面アンテナであって、プリント基板の一面に導波素子、放射素子、反射素子が形成されており、前記導波素子は、前記プリント基板の上部に形成されており、前記放射素子は前記導波素子と所定の間隔を隔ててほぼ平行に形成されており、前記反射素子は前記放射素子と所定の間隔を隔ててほぼ平行に配置されていると共に、両側部が前記放射素子側に屈曲されて前記プリント基板の周縁に沿うよう形成され、前記導波素子と前記放射素子との間の前記プリント基板の両側に所定長の長さの切欠が設けられていると共に、前記放射素子と前記反射素子との間の前記プリント基板の両側に所定長の長さの切欠が設けられており、前記プリント基板が、樹脂ケースに密着されて収納されていることを最も主要な特徴としている。
【発明の効果】
【０００７】
本発明によれば、プリント基板の一面に導波素子、放射素子、反射素子が形成されて、動作周波数帯域の中心周波数の波長をλとした際に、プリント基板の幅を約０．４５λ、長さを約０．２５λと小型化することができるようになる。また、樹脂ケースの影響を補償して良好な電気的特性を得ることができると共に、突起のない平面アンテナとすることができることから安全で軒先や室内で使用するに適した平面アンテナとすることができる。
【発明を実施するための最良の形態】
【０００８】
形状を小型化することができ、かつ安全性の高いＵＨＦ帯で動作する平面アンテナを提供するという目的を、プリント基板の一面に導波素子、放射素子、反射素子が形成されて、動作周波数帯域の中心周波数の波長をλとした際に、プリント基板の幅を約０．４５λ、長さを約０．２５λとできることで実現した。
【実施例１】
【０００９】
本発明の実施例１にかかる平面アンテナの構成を示す平面図を図１に示す。
図１に示す平面アンテナ１は矩形のプリント基板１０の一面に導波素子１１、放射素子１２、反射素子１３がプリントされて構成されている。ガラスエポキシ基板とされたプリント基板１０は矩形とされており、プリント基板１０の上部に細長い矩形状の所定の長さの導波素子１１が形成され、ダイポールアンテナとされている細長い矩形状の放射素子１２は導波素子１１と所定の間隔を隔ててほぼ平行に形成されている。プリント基板１０の下部に形成されている細長い矩形状の反射素子１３は、放射素子１２と所定の間隔を隔ててほぼ平行に配置されていると共に、両側部が放射素子１２側に屈曲されてプリント基板１０の周縁に沿うよう形成されている。放射素子１２の対面する内側には給電点１２ａが設けられている。
【００１０】
実施例１の平面アンテナ１の動作周波数帯域を４７０ＭＨｚないし７７０ＭＨｚとした際に、プリント基板１０の厚さｔは約１．６ｍｍとされ、横幅Ｗは約２２０ｍｍとされ、長さＤは約１２０ｍｍとされる。また、プリント基板１０の一面に形成されている導波素子１１の長さＡは約１４５ｍｍとされ幅Ｌは約１０ｍｍとされ、放射素子１２はプリント基板１０の横幅とほぼ同じ長さとされ、その幅Ｍを約３１ｍｍとした際に放射素子１２の下縁と導波素子１１の下縁との間隔Ｙは約４１ｍｍとされる。さらに、反射素子１３はプリント基板１０の横幅一杯に形成されて放射素子１２側へ折り返された長さＮは約５９ｍｍとされ、その幅Ｂは約２５ｍｍとされる。反射素子１３の上縁と放射素子１２の下縁との間隔Ｚは約４４ｍｍとされ、反射素子１３の折り返された上縁と放射素子１２の下縁との間隔Ｘは約１０ｍｍとされる。このように、本発明の実施例１にかかる平面アンテナ１は、動作周波数帯域の中心周波数の波長をλとした際に、プリント基板１０の幅Ｗが約０．４５λとされ、プリント基板１０の長さＤが約０．２５λとされ、プリント基板１０の厚さｔが約０．００３３λとされており、図２３に示す従来のＵＨＦアンテナ１００に比して部品点数も少なく、高さ方向、前後方向、左右方向の全てにおいて小型化することができ、軒先や室内で使用するにあたって扱いやすく、安全性の高いアンテナとすることができるようになる。
【００１１】
本発明にかかる実施例１の平面アンテナ１が上記した寸法とされた際の電気的特性を図２ないし図５に示す。図２は動作利得の周波数特性を示す図であり、図３は電圧定在波比（ＶＳＷＲ）の周波数特性を示す図であり、図４は半値幅の周波数特性を示す図であり、図５は前方後方比（ＦＢ比）の周波数特性を示す図である。これらの図に示すように、４７０ＭＨｚないし７７０ＭＨｚの周波数帯域において、動作利得は２．５ｄＢｄ以上の高利得が得られていると共に、ＶＳＷＲは約２以下と良好な特性を示している。また、４７０ＭＨｚないし７７０ＭＨｚの周波数帯域において、前方対後方比は８ｄＢ以上と良好な特性が得られている。なお、放射素子１２の長さ（Ｗ＝２２０ｍｍ）を半波長とすると、理論上は中心周波数ｆ≒６８２ＭＨｚとなるが、図３に示すＶＳＷＲの周波数特性をみると、最良点は５６０ＭＨｚ付近（ＶＳＷＲ＝１．１）とされて理論値とズレが生じている。この理由は、プリント基板１０の誘電率の影響が大きいものと考えられる。本発明の実施例１にかかる平面アンテナ１は、全体的に電気的特性が良好とされており、特に５００ＭＨｚ〜７４０ＭＨｚではＶＳＷＲ＝１．３以下ときわめて良好な電気的特性を示すようになる。
【実施例２】
【００１２】
本発明の実施例２にかかる平面アンテナの構成を示す斜視図を図６に示す。
図６に示す平面アンテナ２において、矩形のプリント基板２０の一面に導波素子２１、放射素子２２、反射素子２３がプリントされて構成されており、この構成は図１に示す平面アンテナ１と同様の構成とされている。ガラスエポキシ基板とされたプリント基板２０は矩形とされており、プリント基板２０の上部に細長い矩形状の所定の長さの導波素子２１が形成され、ダイポールアンテナとされている細長い矩形状の放射素子２２は導波素子２１と所定の間隔を隔ててほぼ平行に形成されている。プリント基板２０の下部に形成されている細長い矩形状の反射素子２３は、放射素子２２と所定の間隔を隔ててほぼ平行に配置されていると共に、両側部が放射素子２２側に屈曲されてプリント基板２０の周縁に沿うよう形成されている。放射素子２２の対面する内側には給電点２２ａが設けられている。このプリント基板２０を挟持するように樹脂ケース２４で上下を覆うことにより実施例２の平面アンテナ２が構成されている。この場合、樹脂ケース２４はプリント基板２０に密着されている。
【００１３】
実施例２の平面アンテナ２の動作周波数帯域を４７０ＭＨｚないし７７０ＭＨｚとした際に、プリント基板２０の寸法および導波素子２１、放射素子２２、反射素子２３の寸法は実施例１の平面アンテナ１におけるプリント基板１０の寸法および導波素子１１、放射素子１２、反射素子１３の寸法と同様とされている。そして、平面アンテナ２の横幅Ｗ３は約２２４ｍｍとされ、長さＤ３は約１２４ｍｍとされ、高さＨ３は約６ｍｍとされる。このように、本発明の実施例２にかかる平面アンテナ２は、動作周波数帯域の中心周波数の波長をλとした際に、平面アンテナ２の幅Ｗ３が約０．４６λとされ、平面アンテナ２の長さＤ３が約０．２５６λとされ、高さＨ３は約０．０１２λとされており、図２３に示す従来のＵＨＦアンテナ１００に比して部品点数も少なく、高さ方向、前後方向、左右方向の全てにおいて小型化することができ、軒先や室内で使用するにあたって扱いやすく、安全性の高いアンテナとすることができるようになる。
【００１４】
本発明にかかる実施例２の平面アンテナ２が上記した寸法とされた際の電気的特性を図７および図８に示す。図７は動作利得の周波数特性を示す図であり、図８は電圧定在波比（ＶＳＷＲ）の周波数特性を示す図である。これらの図に示すように、４７０ＭＨｚないし７４０ＭＨｚの周波数帯域において、動作利得は２．３ｄＢｄ以上となる。また、４７０ＭＨｚないし６６０ＭＨｚの周波数帯域において、ＶＳＷＲは約２以下となって、実施例１の平面アンテナ１より高域において電気的特性が若干劣化している。これは、樹脂ケース２４の誘電率が影響しているものと考えられる。ただし、本発明の実施例２にかかる平面アンテナ２は、全体的に良好な電気的特性を示すようになっている。
【実施例３】
【００１５】
次に、本発明の実施例３にかかる平面アンテナ３の構成を示す平面図を図９に示す。実施例３の平面アンテナ３は実施例２の平面アンテナ２の電気的特性を改善するようにしたものである。
図９に示す実施例３の平面アンテナ３においても実施例２の平面アンテナ２と同様にプリント基板の上下が樹脂ケースに覆われているが、実施例３の平面アンテナ３においてはプリント基板３０に特徴を有していることから樹脂ケースを省略して示している。実施例３の平面アンテナ３において、プリント基板３０の一面に導波素子３１、放射素子３２、反射素子３３がプリントされて構成されており、この構成は図１に示す平面アンテナ１と同様の構成とされている。ガラスエポキシ基板とされたプリント基板３０はほぼ矩形とされており、プリント基板３０の上部に細長い矩形状の所定の長さの導波素子３１が形成され、ダイポールアンテナとされている細長い矩形状の放射素子３２は導波素子３１と所定の間隔を隔ててほぼ平行に形成されている。プリント基板３０の下部に形成されている細長い矩形状の反射素子３３は、放射素子３２と所定の間隔を隔ててほぼ平行に配置されていると共に、両側部が放射素子３２側に屈曲されてプリント基板３０の周縁に沿うよう形成されている。放射素子３２の対面する内側には給電点３２ａが設けられている。このプリント基板３０を挟持するように図示しない樹脂ケースで上下を覆うことにより実施例３の平面アンテナ３が構成されている。この場合、樹脂ケースはプリント基板３０に密着されている。
【００１６】
実施例３の平面アンテナ３において特徴的な構成は、プリント基板３０において複数箇所に切欠が設けられている構成である。まず、導波素子３１と放射素子３２との間においてプリント基板３０の両側に所定長の長さの切欠３４が設けられており、また、放射素子３２と反射素子３３との間においてプリント基板３０の両側に所定長の長さの切欠３５が設けられている。
実施例３の平面アンテナ３の動作周波数帯域を４７０ＭＨｚないし７７０ＭＨｚとした際に、プリント基板３０の厚さｔは約１．６ｍｍとされ、横幅は約２２０ｍｍとされ、長さは約１２０ｍｍとされている。また、プリント基板３０の一面に形成されている導波素子３１の長さは約１３０ｍｍとされ幅は約１０ｍｍとされ、放射素子３２はプリント基板３０の横幅とほぼ同じ長さとされ、その幅を約３１ｍｍとした際に放射素子３２の下縁と導波素子３１の下縁との間隔は約４１ｍｍとされる。さらに、反射素子３３はプリント基板３０の横幅一杯に形成されて放射素子３２側へ折り返された長さは約５４ｍｍとされ、その幅は約２５ｍｍとされている。反射素子３３の上縁と放射素子３２の下縁との間隔は約４４ｍｍとされ、反射素子３３の折り返された上縁と放射素子３２の下縁との間隔は約１５ｍｍとされている。また、切欠３４および切欠３５の長さはそれぞれ約７０ｍｍとされ、その幅は約１０ｍｍとされている。このように、本発明の実施例３にかかる平面アンテナ３は、動作周波数帯域の中心周波数の波長をλとした際に、プリント基板３０の幅が約０．４５λとされ、プリント基板３０の長さが約０．２５λとされ、プリント基板３０の厚さｔが約０．００３３λとされており、図２３に示す従来のＵＨＦアンテナ１００に比して部品点数も少なく、高さ方向、前後方向、左右方向の全てにおいて小型化することができ、軒先や室内で使用するにあたって扱いやすく、安全性の高いアンテナとすることができるようになる。
【００１７】
本発明にかかる実施例３の平面アンテナ３が上記した寸法とされた際の電気的特性を図１０ないし図１３に示す。図１０は動作利得の周波数特性を示す図であり、図１１は電圧定在波比（ＶＳＷＲ）の周波数特性を示す図であり、図１２は半値幅の周波数特性を示す図であり、図１３は前方後方比（ＦＢ比）の周波数特性を示す図である。これらの図に示すように、４７０ＭＨｚないし７７０ＭＨｚの周波数帯域において、動作利得は２．５ｄＢｄ以上の高利得が得られていると共に、ＶＳＷＲは約２以下と良好な特性を示している。また、４７０ＭＨｚないし７７０ＭＨｚの周波数帯域において、前方対後方比は８ｄＢ以上と良好な特性が得られている。このように、実施例３の平面アンテナ３は樹脂ケースを有していない実施例１の平面アンテナ１と同様の改善された電気的特性を示すようになる。これは、プリント基板３０に切欠３４および切欠３５を設けることにより樹脂ケースの影響を補償することができたものと考えられる。本発明の実施例３にかかる平面アンテナ３は、図１０ないし図１３に示すように全体的に電気的特性が良好とされている。
【実施例４】
【００１８】
次に、実施例４の平面アンテナ４の構成を図１４に示す。実施例４の平面アンテナ４は実施例２の平面アンテナ２の電気的特性を改善するようにしたものである。
図１４に示す実施例４の平面アンテナ４においても実施例２の平面アンテナ２と同様にプリント基板の上下が樹脂ケースに覆われているが、実施例４の平面アンテナ４においてはプリント基板４０に特徴を有していることから樹脂ケースを省略して示している。実施例４の平面アンテナ４において、プリント基板４０の一面に導波素子４１、放射素子４２、反射素子４３がプリントされて構成されており、この構成は図１に示す平面アンテナ１と同様の構成とされている。ガラスエポキシ基板とされたプリント基板４０はほぼ矩形とされており、プリント基板４０の上部に細長い矩形状の所定の長さの導波素子４１が形成され、ダイポールアンテナとされている細長い矩形状の放射素子４２は導波素子４１と所定の間隔を隔ててほぼ平行に形成されている。プリント基板４０の下部に形成されている細長い矩形状の反射素子４３は、放射素子４２と所定の間隔を隔ててほぼ平行に配置されていると共に、両側部が放射素子４２側に屈曲されてプリント基板４０の周縁に沿うよう形成されている。放射素子４２の対面する内側には給電点４２ａが設けられている。このプリント基板４０を挟持するように図示しない樹脂ケースで上下を覆うことにより実施例４の平面アンテナ４が構成されている。この場合、樹脂ケースはプリント基板４０に密着されている。
【００１９】
実施例４の平面アンテナ４において特徴的な構成は、プリント基板４０の一面に形成されている導波素子４１、放射素子４２および反射素子４３の間隔を狭くしてプリント基板４０の形状を小型にした構成である。実施例４の平面アンテナ４の動作周波数帯域を４７０ＭＨｚないし７７０ＭＨｚとした際に、プリント基板４０の厚さｔは約１．６ｍｍとされ、横幅は約２２０ｍｍとされ、長さは約１０５ｍｍと短くされる。また、プリント基板４０の一面に形成されている導波素子４１の長さは約１２５ｍｍと若干短くされ幅は約１０ｍｍとされ、放射素子４２はプリント基板４０の横幅とほぼ同じ長さとされ、その幅を約３１ｍｍとした際に放射素子４２の下縁と導波素子４１の下縁との間隔は約４１ｍｍとされる。さらに、反射素子４３はプリント基板４０の横幅一杯に形成されて放射素子４２側へ折り返された長さは約４４ｍｍと短くされ、その幅は約２５ｍｍとされる。反射素子４３の上縁と放射素子４２の下縁との間隔は約３２ｍｍと短くされ、反射素子４３の折り返された上縁と放射素子４２の下縁との間隔は約１０ｍｍと短くされる。このように、本発明の実施例４にかかる平面アンテナ４は、動作周波数帯域の中心周波数の波長をλとした際に、プリント基板４０の幅が約０．４５λとされ、プリント基板４０の長さが約０．２２λとされ、プリント基板４０の厚さが約０．００３３λとされており、図２３に示す従来のＵＨＦアンテナ１００に比して部品点数も少なく、高さ方向、前後方向、左右方向の全てにおいて小型化することができ、軒先や室内で使用するにあたって扱いやすく、安全性の高いアンテナとすることができるようになる。
【００２０】
本発明にかかる実施例４の平面アンテナ４が上記した寸法とされた際の電気的特性を図１５ないし図１８に示す。図１５は動作利得の周波数特性を示す図であり、図１６は電圧定在波比（ＶＳＷＲ）の周波数特性を示す図であり、図１７は半値幅の周波数特性を示す図であり、図１８は前方後方比（ＦＢ比）の周波数特性を示す図である。これらの図に示すように、４７０ＭＨｚないし７７０ＭＨｚの周波数帯域において、動作利得は２ｄＢｄ以上の利得が得られていると共に、ＶＳＷＲは約２以下と良好な特性を示している。また、４７０ＭＨｚないし７７０ＭＨｚの周波数帯域において、前方対後方比は７ｄＢ以上と良好な特性が得られている。このように、実施例４の平面アンテナ４は実施例２の平面アンテナ２より優れた電気的特性を示すようになる。これは、各素子の長さや間隔を詰めることにより樹脂ケースの影響を補償することができたものと考えられる。本発明の実施例４にかかる平面アンテナ４は、図１５ないし図１８に示すように全体的に電気的特性が良好とされている。
【００２１】
以上説明した本発明の実施例２にかかる平面アンテナ２においては、樹脂ケース２４はプリント基板２０に密着されているようにしたが、樹脂ケースとプリント基板との間に所定のスペースが設けられていても良い。このスペースが約１０ｍｍ以上とされると樹脂ケースが平面アンテナに与える影響をほぼ無視することができ、平面アンテナは実施例１にかかる平面アンテナ１と同様の良好な電気的特性を示すようになる。
また、スペースが約１０ｍｍを満たさずプリント基板に樹脂ケースが近接して配置されている場合は、樹脂ケースが平面アンテナに影響を与えるようになる。この場合には、実施例３にかかる平面アンテナ３のように、導波素子と放射素子との間においてプリント基板の両側に所定長の長さの切欠を設けると共に、放射素子と反射素子との間においてプリント基板の両側に所定長の長さの切欠を設けるようにする。これにより、樹脂ケースの平面アンテナに与える影響を補償して実施例１の平面アンテナ１と同様の電気的特性を示すようになる。
さらに、スペースが約１０ｍｍを満たさずプリント基板に樹脂ケースが近接して配置されている場合に、実施例４にかかる平面アンテナ４のように動作周波数帯域の中心周波数の波長をλとした際に、プリント基板の幅を約０．４５λとし、プリント基板の長さを約０．２２λとして、このプリント基板に導波素子、放射素子および反射素子の間隔を狭くして形成することによっても、樹脂ケースの平面アンテナに与える影響を補償して良好な電気的特性を示す平面アンテナとすることができるようになる。
【００２２】
ここで、本発明の実施例１にかかる平面アンテナ１において放射素子１２の幅Ｗを変化させた場合の電気的特性の変化を説明する。
図１９は、放射素子１２の幅ＭをＭ＝１１ｍｍ、Ｍ＝２１ｍｍ、Ｍ＝３１ｍｍと変化させた場合のＶＳＷＲの周波数特性であり、図２０（ａ）（ｂ）（ｃ）は、Ｍ＝１１ｍｍ、Ｍ＝２１ｍｍ、Ｍ＝３１ｍｍと変化させた場合の７５Ωで正規化したインピーダンスを示すスミスチャートである。これらの図を参照すると、Ｍ＝１１ｍｍ、Ｍ＝２１ｍｍ、Ｍ＝３１ｍｍと変化させるにつれて、徐々にＶＳＷＲ特性は広帯域化されるようになり、全体的なインピーダンス特性が徐々に７５Ω付近に推移するようになる。このように、放射素子１２の幅Ｍを広くすることで広帯域化できるようになり、導波素子１１と反射素子１３を設ける事により、さらに低域と高域の特性が改善されて、さらに広帯域化されるようになる。また、反射素子１３の両側部を放射素子側に屈曲させることにより、ＵＨＦ帯における低域およびＵＨＦ全帯域の前方対後方比を向上することができるようになる。さらに、導波素子１１を放射素子１２に近接させることにより、ＵＨＦ帯の高域の特性を向上させることができる。
このことは、実施例１の平面アンテナ１に限るものではなく、実施例２ないし実施例４の平面アンテナ２ないし平面アンテナ４でも同様とされている。
【実施例５】
【００２３】
次に、実施例２の平面アンテナ２の変形例とされる実施例５の平面アンテナ５の構成を図２１および図２２に示す。
実施例５の平面アンテナ５では、プリント基板を用いておらず、各素子を樹脂ケース５４に直接形成している。そこで、樹脂ケース５４の構成を示す斜視図を図２１に示す。図２１に示すように、周囲に周壁部５４ｄが立設されている一面が開口された矩形の樹脂ケース５４の内面から突出するように、導波素子用凸部５４ａと、一対の放射素子用凸部５４ｂと、反射素子用凸部５４ｃとが設けられている。各凸部が形成されている位置は、実施例２の平面アンテナ２における各素子の位置に対応している。そして、導波素子用凸部５４ａと、一対の放射素子用凸部５４ｂと、反射素子用凸部５４ｃの表面に、金属を蒸着、金属箔を貼着あるいは導電塗料を塗布する。これにより、図２２に斜視図で示す実施例５の平面アンテナ５のように導波素子用凸部５４ａ上に導波素子５１が形成され、一対の放射素子用凸部５４ｂ上にダイポールアンテナとされる放射素子５２が形成され、反射素子用凸部５４ｃ上に両側部が放射素子５２側に屈曲された反射素子５３が形成されるようになる。放射素子５２の対面する内側には給電点５２ａが設けられている。この樹脂ケース５４の開口面には蓋部を嵌合して導波素子５１，放射素子５２，反射素子５３が直接見えないようにしてもよい。
本発明の実施例５にかかる平面アンテナ５の寸法は、実施例２の平面アンテナ２の寸法あるいは実施例３の平面アンテナ３の寸法と同様とすることができ、図２３に示す従来のＵＨＦアンテナ１００に比して部品点数も少なく、高さ方向、前後方向、左右方向の全てにおいて小型化することができ、軒先や室内で使用するにあたって扱いやすく、安全性の高いアンテナとすることができるようになる。
【００２４】
以上説明した各実施例の平面アンテナにおいて、実施例１の平面アンテナ１はプリント基板１０の誘電率の影響のみを受けるようになり、上述したように良好な電気的特性を示すようになる。また、実施例２の平面アンテナ２においては、樹脂ケース２４の誘電率の影響及びプリント基板２０の誘電率の影響の両方を受けることになり、上述したように若干劣化した電気的特性を示すようになる。さらに、実施例５の平面アンテナ５においてはプリント基板を用いていないことからプリント基板の誘電率の影響を受けることがなく、樹脂ケース５４の誘電率の影響だけを受けるようになる。したがって、平面アンテナ５はその分だけ誘電率の影響が軽減されるので、実施例２の平面アンテナ２よりも実施例１の良好な電気的特性を示す平面アンテナ１に近い電気的特性を示すようになる。
なお、実施例５の平面アンテナ５において、導波素子５１や反射素子５３の寸法を変化させることにより電気的特性の調整をすることができる。また、導波素子用凸部５４ａ、放射素子用凸部５４ｂおよび反射素子用凸部５４ｃのそれぞれの高さを変化させることにより、樹脂ケース５４における誘電率の影響を自在に変化させて平面アンテナ５の電気的特性の調整をすることが可能とされている。
【００２５】
以上説明した本発明の平面アンテナにおいては、放射素子の幅が広くされている（例えば、約３１ｍｍ）ことから、平面アンテナのインピーダンスが７５Ωに近くなり、一般的に家庭用テレビで使用するインピーダンスに整合できるようになる。
また、以上説明した本発明の実施例１ないし実施例５の平面アンテナにおける各部の寸法は一例であり、その寸法に限るものではなくある程度はずれた寸法としても十分アンテナとして動作する。ただし、電気的特性は若干劣化するようになる。
ところで、樹脂ケースとしては塩化ビニルのような比較的誘電率が高い材質を用いることにより、本発明にかかる平面アンテナを小型化することができる。ただし、誘電率が高いとその影響も大きくなることからＡＥＳ（アクリロニトリル−エチレン・プロピレン・ジエンゴム−スチレン共重合体）樹脂やアクリル樹脂のように誘電率の低い樹脂材を樹脂ケースとして用いるようにしてもよい。さらに、樹脂ケースの厚さは肉厚が薄いほど誘電率による影響は小さくなる。従って、本発明の平面アンテナにかかる樹脂ケースの厚さは約２ｍｍ以下とするのが好適となる。さらにまた、本発明の平面アンテナにかかるプリント基板は、ガラスエポキシ基板やエポキシ基板とされるがその誘電率も影響する。従って、プリント基板の厚みを１ｍｍ程度まで薄くすることによっても、誘電率による影響を小さくすることができる。従って、プリント基板の厚みを変えることによって、樹脂ケースの誘電率の影響を調整することもできる。この場合、プリント基板に替えて誘電率の影響が無視できるフィルムシート上に導波素子、放射素子および反射素子を形成するようにしても、本発明にかかる平面アンテナの小型化が可能になる。
【産業上の利用可能性】
【００２６】
なお、以上の説明では地上デジタル放送を受信する平面アンテナとしたが、本発明は、これに限るものではなくＵＨＦ帯を送受信する平面アンテナに適用することができるものである。
【図面の簡単な説明】
【００２７】
【図１】本発明の実施例１にかかる平面アンテナの構成を示す平面図である。
【図２】本発明の実施例１にかかる平面アンテナの動作利得の周波数特性を示す図である。
【図３】本発明の実施例１にかかる平面アンテナの電圧定在波比の周波数特性を示す図である。
【図４】本発明の実施例１にかかる平面アンテナの半値幅の周波数特性を示す図である。
【図５】本発明の実施例１にかかる平面アンテナの前方後方比の周波数特性を示す図である。
【図６】本発明の実施例２にかかる平面アンテナの構成を示す斜視図である。
【図７】本発明の実施例２にかかる平面アンテナの動作利得の周波数特性を示す図である。
【図８】本発明の実施例２にかかる平面アンテナの電圧定在波比の周波数特性を示す図である。
【図９】本発明の実施例３にかかる平面アンテナの構成を示す平面図である。
【図１０】本発明の実施例３にかかる平面アンテナの動作利得の周波数特性を示す図である。
【図１１】本発明の実施例３にかかる平面アンテナの電圧定在波比の周波数特性を示す図である。
【図１２】本発明の実施例３にかかる平面アンテナの半値幅の周波数特性を示す図である。
【図１３】本発明の実施例３にかかる平面アンテナの前方後方比の周波数特性を示す図である。
【図１４】本発明の実施例４にかかる平面アンテナの構成を示す平面図である。
【図１５】本発明の実施例４にかかる平面アンテナの動作利得の周波数特性を示す図である。
【図１６】本発明の実施例４にかかる平面アンテナの電圧定在波比の周波数特性を示す図である。
【図１７】本発明の実施例４にかかる平面アンテナの半値幅の周波数特性を示す図である。
【図１８】本発明の実施例４にかかる平面アンテナの前方後方比の周波数特性を示す図である。
【図１９】本発明の実施例１にかかる平面アンテナにおいて放射素子の幅を変化させた場合の電圧定在波比特性の変化を示す図である。
【図２０】本発明の実施例１にかかる平面アンテナにおいて放射素子の幅を変化させた場合のインピーダンス特性の変化を示すスミスチャートである。
【図２１】本発明の実施例５の平面アンテナにおける樹脂ケースの構成を示す斜視図である。
【図２２】本発明の実施例５にかかる平面アンテナの構成を示す斜視図である。
【図２３】従来のＵＨＦアンテナの構成を示す平面図である。
【図２４】従来の平面アンテナの動作利得の周波数特性を示す図である。
【図２５】従来のＵＨＦアンテナの電圧定在波比の周波数特性を示す図である。
【図２６】従来のＵＨＦアンテナの半値幅の周波数特性を示す図である。
【図２７】従来のＵＨＦアンテナの前方後方比の周波数特性を示す図である。
【符号の説明】
【００２８】
１  平面アンテナ、２  平面アンテナ、３  平面アンテナ、４  平面アンテナ、５  平面アンテナ、１０  プリント基板、１１  導波素子、１２  放射素子、１２ａ  給電点、１３  反射素子、２０  プリント基板、２１  導波素子、２２  放射素子、２２ａ  給電点、２３  反射素子、２４  樹脂ケース、３０  プリント基板、３１  導波素子、３２  放射素子、３２ａ  給電点、３３  反射素子、３４  切欠、３５  切欠、４０  プリント基板、４１  導波素子、４２  放射素子、４２ａ  給電点、４３  反射素子、５１  導波素子、５２  放射素子、５２ａ  給電点、５３  反射素子、５４  樹脂ケース、５４ａ  導波素子用凸部、５４ｂ  放射素子用凸部、５４ｃ  反射素子用凸部、５４ｄ  周壁部、１００  アンテナ、１０１  導波素子、１０２  放射素子、１０３  反射素子、１０４  給電部、１０５  ブーム
【図１】
0004558598.tif 000002
【図２】
0004558598.tif 000003
【図３】
0004558598.tif 000004
【図４】
0004558598.tif 000005
【図５】
0004558598.tif 000006
【図６】
0004558598.tif 000007
【図７】
0004558598.tif 000008
【図８】
0004558598.tif 000009
【図９】
0004558598.tif 000010
【図１０】
0004558598.tif 000011
【図１１】
0004558598.tif 000012
【図１２】
0004558598.tif 000013
【図１３】
0004558598.tif 000014
【図１４】
0004558598.tif 000015
【図１５】
0004558598.tif 000016
【図１６】
0004558598.tif 000017
【図１７】
0004558598.tif 000018
【図１８】
0004558598.tif 000019
【図１９】
0004558598.tif 000020
【図２０】
0004558598.tif 000021
【図２１】
0004558598.tif 000022
【図２２】
0004558598.tif 000023
【図２３】
0004558598.tif 000024
【図２４】
0004558598.tif 000025
【図２５】
0004558598.tif 000026
【図２６】
0004558598.tif 000027
【図２７】
0004558598.tif 000028